(57)【要約】【課題】  遊技装置の操作装置に関し、操作ノブが操作されたことの検出の信頼性を高めることを課題とする。【解決手段】  シャフト２４の端には、光反射部材３０が、全体が表面処理されて黒色である取付けねじ３１によって固定してある。操作ノブ組立体２１は、その先端に、周りが光沢のある環状の反射面３０ｄであり、中央部が、黒色である低反射率面３１ａ１である組合わせ面６０を有する。組合わせ面６０には発光・受光素子モジュール４０が対向している。発光・受光素子モジュール４０は、ブロック４１の内部に赤外線発光素子４４と受光素子４５とが組み込んである構成であり、市販されている部品である。【選択図】  図４
2005296457.tif 000002
【特許請求の範囲】
【請求項１】
操作部材が傾動可能に支持してあり、発光素子と受光素子とが組み込んである発光・受光素子モジュールが該操作部材の先端と対向して配置してある構成の操作装置であって、
該操作部材の先端に、光の反射率に違いのある領域を二つ以上有する組合わせ面を有する構成としたことを特徴とする操作装置。
【請求項２】
請求項１に記載の操作装置において、
該組合わせ面は、中央に光の反射率が低い領域を有し、周囲に光の反射率が高い領域を有する構成であることを特徴とする操作装置。
【請求項３】
操作部材が傾動可能に支持してあり、発光素子と受光素子とが組み込んである発光・受光素子モジュールが該操作部材の先端と対向して配置してある構成の操作装置であって、
該操作部材の先端に、光の吸収率に違いのある領域を二つ以上有する組合わせ面を有する構成としたことを特徴とする操作装置。
【請求項４】
請求項３に記載の操作装置において、
該組合わせ面は、中央に光の吸収率が高い領域を有し、周囲に光の吸収率が低い領域を有する構成であることを特徴とする操作装置。
【請求項５】
請求項２又は請求項４に記載の操作装置において、
該組合わせ面は、周囲の領域が光反射部材の環状の反射面によって形成され、中央の領域が該光反射部材を取り付ける取付けねじの暗い色である頭部の頂面によって形成してあることを特徴とする操作装置。
【請求項６】
請求項５に記載の操作装置において、
該光反射部材は、筒状であり、フランジを有し、該フランジの面が上記環状の反射面である構成であり、
該取付けねじは、その頭部が上記光反射部材の筒状の部分の内部に収まっており、頭部の頂面が上記フランジの面よりも奥側に位置していることを特徴とする操作装置。
【請求項７】
請求項２又は請求項４に記載の操作装置において、
該組合わせ面は、周囲の領域が光反射部材の環状の反射面によって形成され、中央の領域が貼られた暗い色のシールの面によって形成してあることを特徴とする操作装置。
【発明の詳細な説明】
【技術分野】
【０００１】
本発明は操作装置に係り、特に、娯楽場に設置される遊技機械の操作パネル部に設けてある操作装置に関する。
【背景技術】
【０００２】
従来の遊技機械の操作装置は、一端が端板部によって塞がれている円筒形状の本体に、操作レバーが傾動可能に支持してあり、本体の端板部の内側に、赤外線発光素子と受光素子とを備えた発光・受光素子ユニットが設けてあり、発光・受光素子ユニットが操作レバーの先端部に対向しており、操作レバーが傾動操作されたこと及び操作レバーが元の状態に復帰したことを受光素子の赤外線の受光状況に応じて認識する構成である。
【特許文献１】特開２００３−１８０９１２号公報
【発明の開示】
【発明が解決しようとする課題】
【０００３】
遊技機械の操作装置は、操作レバーが傾動操作されたこと及び操作レバーが元の状態に復帰したことを長期に亘って高い信頼性でもって認識することが出来る構成であること、及び組立てがし易い構成であること、更に、製造コストが安価である構成であること等が求められている。
【０００４】
そこで、本発明は、上記課題を満たした操作装置を提供することを目的とする。
【課題を解決するための手段】
【０００５】
本発明は、操作部材が傾動可能に支持してあり、発光素子と受光素子とが組み込んである発光・受光素子モジュールが該操作部材の先端と対向して配置してある構成の操作装置であって、
該操作部材の先端に、光の反射率に違いのある領域を二つ以上有する組合わせ面を有する構成としたものである。
【発明の効果】
【０００６】
本発明によれば、操作レバーが傾動操作されたこと及び操作レバーが元の状態に復帰したことを長期に亘って高い信頼性でもって認識することが出来る
【発明を実施するための最良の形態】
【０００７】
次に本発明の実施の形態について説明する。
【実施例１】
【０００８】
図１は本発明の実施例１になる操作装置２０であり、遊技機械１０の操作パネル部１１に後述するねじ部２２ｂに螺合するねじ（図示せず）によって取り付けられる。Ｘは操作パネル部１１の幅方向、Ｚは操作パネル部１１の傾斜している方向、Ｙは操作パネル部１１に対して垂直の方向である。
【０００９】
操作装置２０は、操作ノブ２１ａ（操作ノブ組立体２１）が３６０度のどの方向にも傾動可能であるように支持する操作ノブ支持機構１００と、操作された操作ノブ２１ａを元の位置に復帰させる操作ノブ復帰機構１５０と、この操作ノブ２１ａが傾動したことを赤外光の反射を利用して光学的に検出する光学的傾動検出機構２００とを備えた構成である。
【００１０】
図２（Ａ）乃至（Ｄ）は操作装置２０の内部の構造を示す。図２（Ｃ）、（Ｄ）は、夫々図２（Ａ）中、Ｃ−Ｃ線及びＤ−Ｄ線に沿う断面図である。図３は操作装置２０を分解して示す。図４は操作ノブ２１を全方向に傾動可能に支持する構造を示す。
【００１１】
操作ノブ２１ａはシャフト２４のＹ２側に固定してある。シャフト２４の中間の部分が本体２２に支持される。シャフト２４のＹ１端には、タップによって雌ねじ部２４ａが形成してある。
【００１２】
先ず、操作ノブ支持機構１００について説明する。
【００１３】
本体２２は、Ｙ２側に円錐形状の穴２２ａを有し、外周にねじ部２２ｂを有する。円錐形状の穴２２ａのＹ２側の開口２２ｃは円である。穴２２ａの奥部にフランジ部２２ｄ及び開口２２ｅを有する。本体２２のＹ１側にブッシュ受け２３が嵌合してある。
【００１４】
シャフト２４は、そのＹ２側に、カラー２５、ガイド２６、ブッシュ２７を嵌合させた状態で、穴２２ａに挿入してこれを貫通しており、シャフト２４の先端より、ブッシュ受け２３、ばね受け部材２８、圧縮コイルばね２９、光反射部材３０が嵌合しており、最後に取付けねじ３１が雌ねじ部２４ａに螺合してある。取付けねじ３１によって光反射部材３０のフランジ部３０ｂがシャフト２４の先端に固定してある。操作ノブ２１ａ、シャフト２４、カラー２５、ガイド２６、ばね受け部材２８、圧縮コイルばね２９、光反射部材３０、取付けねじ３１が、操作ノブ組立体２１を構成する。ブッシュ２７が穴２２ａに嵌合して本体２２に固定してある。操作ノブ組立体２１は、図５（Ａ），（Ｂ）に示すように、圧縮コイルばね２９を圧縮させつつ、シャフト２４のうちブッシュ２７で支持されている部分がブッシュ２７に対して傾斜されて傾動される。
【００１５】
次に、操作ノブ復帰機構１５０について説明する。
【００１６】
圧縮コイルばね２９は圧縮された状態にあり、ガイド２６とばね受け部材２８とが本体２２のフランジ部２２ｄの部分を挟み込んでいる。特に、圧縮コイルばね２９がばね受け部材２８をブッシュ受け２３に押し付ける力によって、シャフト２４はその軸線２４ＣＬがＹ１−Ｙ２軸線に一致した元の姿勢に維持され、傾動操作された後に、操作ノブ２１及びシャフト２４は元の姿勢に復帰される。
【００１７】
次に、光学的傾動検出機構２００について説明する。
【００１８】
シャフト２４のＹ２端に位置する光反射部材３０は、金属製であり、光沢のあるメッキが施されており、大略、筒部３０ａと、筒部３０ａのＹ１端のフランジ部３０ｂと、筒部３０ａのＹ２端のフランジ部３０ｃとよりなる。フランジ部３０ｂの中心の部分３０ｂ１をシャフト２４のＹ１端面に押し付けられて取付けねじ３１によって固定してある。フランジ部３０ｂは圧縮コイルばね２９のＹ１側端を受ける。フランジ部３０ｃはＹ２端に環状のフランジ面３０ｄを有する。取付けねじ３１は、頭部３１ａを有し、全体が表面処理されて黒色である。頭部３１ａは、工具が嵌合する六角穴３１ｂを有する。頭部３１ａは、筒部３０ａの内部に収まっている。取付けねじ３１は、ねじ頭部頂面３１ｂを有する。
【００１９】
フランジ面３０ｄは光沢のある面であり、赤外線に対する反射率ρ３０ｄは相当に高い。ねじ頭部頂面３１ｂは、黒色であり、赤外線反射率ρ３１ｂは相当に低く、望ましくは０％である。ρ３０ｄ≫ρ３１ｂの関係にある。赤外線に対する吸収率でみると、フランジ面３０ｄの赤外線吸収率ａ３０ｄは相当に低く、ねじ頭部頂面３１ｂの赤外線吸収率ａ３１ｂは相当に高く、望ましくは１００％である。ａ３０ｄ≪ａ３１ｂの関係にある。
【００２０】
操作ノブ組立体２１はＹ１側の端に、組合わせ面６０を有する。組合わせ面６０は、中央のねじ頭部頂面３１ｂとこれを囲む周囲のフランジ面３０ｄとが組合わされてなる面であり、赤外光の反射率でみると、中央に赤外光の反射率が低い領域を有し、周囲に赤外光の反射率が高い領域を有する構成であり、赤外光の吸収率でみると、中央に赤外光の吸収率が高い領域を有し、周囲に赤外光の吸収率が低い領域を有する構成である。
【００２１】
４０は発光・受光素子モジュールであり、直方体形状であり前面に二つの開口４２、４３を有するブロック４１の内部に、赤外線発光素子４４と受光素子４５とが夫々開口４２、４３に臨んで組み込んである構成であり、市販されている一般的な部品である。発光・受光素子モジュール４０は、略円形の基板４６の前面の中央に実装してある。基板４６の後面には、コネクタ４７と発光ダイオード４８とが実装してある。基板４６はキャップ部材４９の内部に組み込んである。
【００２２】
本体２２のＹ１側には筒形状のカバー部材５０が取り付けてあり、圧縮コイルばね２９及び光反射部材３０を囲んでいる。キャップ部材４９がカバー部材５０のＹ１側に取り付けてある。発光・受光素子モジュール４０と組合わせ面６０とがキャップ部材４９とカバー部材５０とによって形成してある空間５１内で対向している。
【００２３】
次に、上記操作装置２０を操作したときの動作について説明する。
【００２４】
操作前の状態では、操作ノブ組立体２１は、図２（Ａ）に示すように、シャフト２４の軸線２４ＣＬがＹ１−Ｙ２軸線に一致した状態にあり、組合わせ面６０は、ねじ頭部頂面３１ｂが発光・受光素子モジュール４０に対向している。
【００２５】
よって、赤外線発光素子４４から放射されている赤外線７０はねじ頭部頂面３１ｂに照射され、ここで、大部分が、望ましくは全部が吸収され、反射光の光量は少なく、望ましくは零である。よって、受光素子４５が受ける光の光量は少なく、望ましくは零であり、コネクタ４７からはオフ信号が出力されている。
【００２６】
操作ノブ２１ａを手前に引くようにＺ２方向に操作すると、操作ノブ組立体２１は図５（Ａ）に示すように傾動され、組合わせ面６０は、ねじ頭部頂面３１ｂが発光・受光素子モジュール４０に対向する位置から外れて、フランジ面３０ｄが発光・受光素子モジュール４０に対向するようになる。よって、赤外線発光素子４４から放射されている赤外線７０はフランジ面３０ｄのうち、符号３０ｄＺ２で示す部分に照射され、ここで効率良く反射され、光量の多い反射光７１となり、受光素子４５が受ける光の光量が増し、コネクタ４７から出力される信号がオン信号に変わる。
【００２７】
手を操作ノブ２１ａから離すと、圧縮コイルばね２９のばね力によって、操作ノブ組立体２１は図２（Ａ）に示す元の姿勢に戻され、組合わせ面６０は、フランジ面３０ｄが発光・受光素子モジュール４０に対向する位置から外れて、ねじ頭部頂面３１ｂが発光・受光素子モジュール４０に対向するようになる。これにより、受光素子４５が受ける光の光量が激減し、コネクタ４７から出力される信号がオフ信号に変わる。
【００２８】
操作ノブ２１ａを向こう側に押すようにＺ１方向に操作すると、操作ノブ組立体２１は図５（Ｂ）に示すように傾動され、組合わせ面６０は、フランジ面３０ｄのうち符号３０ｄＺ１で示す部分が発光・受光素子モジュール４０に対向するようになって、光量の多い反射光７２となり、受光素子４５が受ける光の光量が増し、コネクタ４７から出力される信号がオン信号に変わる。
【００２９】
手を操作ノブ２１ａから離すと、圧縮コイルばね２９のばね力によって、操作ノブ組立体２１は図２（Ａ）に示す元の姿勢に戻され、組合わせ面６０は、ねじ頭部頂面３１ｂが発光・受光素子モジュール４０に対向するようになり、受光素子４５が受ける光の光量が激減し、コネクタ４７から出力される信号がオフ信号に変わる。
【００３０】
操作ノブ２１ａをＸ１方向に操作すると、操作ノブ組立体２１は傾動されて、組合わせ面６０は、フランジ面３０ｄのうち符号３０ｄＸ１で示す部分が発光・受光素子モジュール４０に対向するようになって、光量の多い反射光となり、受光素子４５が受ける光の光量が増し、コネクタ４７から出力される信号がオン信号に変わる。操作ノブ２１ａをＸ２方向に操作した場合には、操作ノブ組立体２１は傾動されて、組合わせ面６０は、フランジ面３０ｄのうち符号３０ｄＸ２で示す部分が発光・受光素子モジュール４０に対向するようになって、光量の多い反射光となり、受光素子４５が受ける光の光量が増し、コネクタ４７から出力される信号がオン信号に変わる。手を操作ノブ２１ａから離すと、圧縮コイルばね２９のばね力によって、操作ノブ組立体２１は図２（Ａ）に示す元の姿勢に戻され、組合わせ面６０は、フランジ面３０ｄが発光・受光素子モジュール４０に対向する位置から外れて、ねじ頭部頂面３１ｂが発光・受光素子モジュール４０に対向するようになり、受光素子４５が受ける光の光量が激減し、コネクタ４７から出力される信号がオフ信号に変わる。
【００３１】
ここで、図４に示すように、ねじ頭部３１ａは筒部３０ａの内部に収まっているので、ねじ頭部頂面３１ｂは筒部３０ａの内部に位置して、反射面３０ｄよりも、Ｙ２方向に寸法ｙ奥まった位置にあり、且つ、中央に工具が嵌合する六角穴３１ｃを有して立体的な面となっている。よって、ねじ頭部頂面３１ｂで僅かに反射した光のうち一部の光は筒部３０ａうち開口部の縁の部分で遮られて、発光・受光素子モジュール４０には向かわない。また、六角穴３１ｃの内面での僅かな反射は乱反射となり、一部の光は筒部３０ａうち開口部の縁の部分で遮られ、発光・受光素子モジュール４０に向かう光量は更に僅かとなる。よって、コネクタ４７から出力される信号は確実にオフ信号となる。
【００３２】
上記操作装置２０は取付けねじ３１自体が低反射率の面を形成する構成であり、低反射率面を形成するための専用の部品は必要でないため、部品点数を少なく出来る。
【実施例２】
【００３３】
図６は、本発明の実施例２になる操作装置２０Ａの操作ノブ組立体２１Ａの先端の部分を示す。黒色のシール３００が取付けねじ３１Ａの頭部３１Ａａの頂面に貼り付けてあり、光反射部材３０の筒部３０ａの内部に位置している。
【００３４】
操作ノブ組立体２１Ａは、Ｙ２端に、組合わせ面６０Ａを有する。組合わせ面６０Ａは、周りが光沢のある環状のフランジ面３０ｄであり、中央部が、黒色であり望ましくは反射率が零であるシール面３００ａである構成となっている。
【００３５】
組合わせ面６０Ａと発光・受光素子モジュール４０とが対向しており、操作装置２０Ａは上記の操作装置２０と同様に動作する。
【図面の簡単な説明】
【００３６】
【図１】本発明の実施例１になる操作装置を示す図である。
【図２】図１の操作装置の構造を示す図である。
【図３】図２の操作装置を分解して示す図である。
【図４】図２の操作装置の操作ノブ組立体の先端の部分を発光・受光素子モジュールと併せて示す図である。
【図５】図２の操作装置を操作したときの状態を示す図である。
【図６】本発明の実施例２になる操作装置の操作ノブ組立体の先端の部分を発光・受光素子モジュールと併せて示す図である。
【符号の説明】
【００３７】
１０  遊技機械
２０、２０Ａ  操作装置
２２  本体
２４  シャフト
２６  ガイド
２７  ブッシュ
２８  ばね受け部材
２９  圧縮コイルばね
３０  光反射部材
３０ａ  筒部
３０ｂ，３０ｃ  フランジ部
３０ｄ  フランジ面
３１  取付けねじ
３１ａ  頭部
３１ｂ  ねじ頭部頂面
３１ｃ  六角穴
４０  発光・受光素子モジュール
４４  発光素子
４５  受光素子
６０，６０Ａ  組合わせ面
１００  操作ノブ支持機構
１５０  操作ノブ復帰機構
２００  光学的傾動方向検出機構
３００  黒色のシール
３００ａ  シール面
【図１】
2005296457.tif 000003
【図２】
2005296457.tif 000004
【図３】
2005296457.tif 000005
【図４】
2005296457.tif 000006
【図５】
2005296457.tif 000007
【図６】
2005296457.tif 000008